(57)【要約】【課題】吐出量を調整することができる塗布容器を提供する。【解決手段】塗布容器１０は、容器本体１１と、容器本体１１内に連通する連通孔２１を有する中栓部材１２と、中栓部材１２との間に、計量室２９を形成する計量筒本体３３、および内側が計量室２９に連通するガイド筒部３４を有する計量筒部材１３と、ガイド筒部３４内に挿入され、内側に流通路２８が形成された筒状の塗布栓１４と、を備え、塗布栓１４は、容器本体１１内と計量室２９とを連通させ、かつ計量室２９と流通路２８との連通を遮断する計量位置と、容器本体１１内と計量室２９との連通を遮断し、かつ計量室２９と流通路２８とを連通させる塗布位置Ｐ２と、の間を移動自在とされ、ガイド筒部３４には、塗布栓１４が塗布位置に位置するときに、流通路２８と連通する第１開口部３４ｅを覆い、かつ弾性変形可能な操作ボタン１５が配設されている。【選択図】図１
2018140817.tif 000002
【特許請求の範囲】
【請求項１】
内容物が収容される容器本体と、
前記容器本体の口部に装着され、前記容器本体内に連通する連通孔を有する中栓部材と、
前記中栓部材との間に、前記連通孔を通して前記容器本体内に連通する計量室を形成する計量筒本体、および内側が前記計量室に連通するとともに、前記計量筒本体から容器軸方向の外側に向けて延びるガイド筒部を有する計量筒部材と、
前記ガイド筒部内に、容器軸方向に移動自在に挿入され、容器軸方向の外端部に吐出孔が形成されるとともに、内側に前記吐出孔に連通する流通路が形成された筒状の塗布栓と、を備え、
前記塗布栓は、
前記連通孔を通して前記容器本体内と前記計量室とを連通させ、かつ前記計量室と前記流通路との連通を遮断する計量位置と、
容器軸方向において前記計量位置よりも前記中栓部材側に位置するとともに、前記連通孔を通した前記容器本体内と前記計量室との連通を遮断し、かつ前記計量室と前記流通路とを連通させる塗布位置と、の間を容器軸方向に移動自在に配設され、
前記塗布栓の周壁には、この塗布栓が前記塗布位置に位置するときに、前記ガイド筒部の周壁を貫通する第１開口部と連通する第２開口部が形成され、
前記ガイド筒部には、前記第１開口部を覆うとともに、弾性変形可能な操作ボタンが配設されていることを特徴とする塗布容器。
【請求項２】
前記塗布栓には、
前記連通孔を通した前記容器本体内と前記計量室との連通およびその遮断を切替える弁体が配設されるとともに、この塗布栓の周壁を貫通し、前記流通路と連通する流通孔が形成され、
前記流通孔は、前記塗布栓が前記計量位置に位置するときに、前記ガイド筒部の内周面により閉塞され、かつ前記塗布栓が前記塗布位置に位置するときに、前記計量室に開口することを特徴とする請求項１に記載の塗布容器。
【発明の詳細な説明】
【技術分野】
【０００１】
本発明は、内容物を計量して塗布する塗布容器に関する。
【背景技術】
【０００２】
従来から、例えば人体の頭皮等の被塗布部に対して薬液等の内容物を塗布する塗布容器が知られている。この種の塗布容器は、内容物が収容される有底筒状の容器本体と、容器本体の口部に装着され、容器本体内に連通する連通孔を有する中栓部材と、中栓部材との間に、連通孔を通して容器本体内に連通する計量室を形成する計量筒部材と、計量筒部材から外部に突出するとともに、計量室に連通する吐出孔を有する弁部材と、を備えている（例えば、下記特許文献１参照）。
【０００３】
また、上述した弁部材は、連通孔を通して容器本体内と計量室とを連通させ、かつ吐出孔を通した計量室と外部との連通を遮断する計量位置と、容器軸方向における計量位置よりも中栓部材側に位置するとともに、連通孔を通した容器本体内と計量室との連通を遮断し、かつ吐出孔を通して計量室と外部とを連通させる塗布位置と、の間を容器軸方向に移動自在に配設されている。
【０００４】
上述した塗布容器において、内容物を被塗布部に塗布するには、まず弁部材を計量位置に位置させた状態で塗布容器を倒立姿勢にし、容器本体内の内容物を計量室に流入させる。これにより、計量室に所定量の内容物が計量される。この状態で、弁部材の先端部を被塗布部に押し付ける。すると、弁部材が塗布位置に移動することで、計量室の内容物が弁部材の吐出孔を通して吐出される。これにより、被塗布部に内容物が塗布される。
【先行技術文献】
【特許文献】
【０００５】
【特許文献１】特許第３７５９４２８号公報
【発明の概要】
【発明が解決しようとする課題】
【０００６】
しかしながら、前記従来の塗布容器では、計量室に計量した内容物を被塗布部に塗布する際に、弁部材の先端部を、被塗布部に複数回にわたって押し付けることで少量ずつ吐出孔から吐出するため、計量した内容物の全てを被塗布部に塗布するのに時間を要する場合があった。また、被塗布部における特定の箇所に大量の内容物を塗布する場合には、弁部材の先端部をその箇所に何度も押し付ける必要がある等、被塗布部における位置ごとで吐出量を調整することが困難であるという問題があった。
【０００７】
そこで本発明は、前述した事情に鑑みてなされたものであり、吐出量を調整することができる塗布容器を提供することを目的とする。
【課題を解決するための手段】
【０００８】
前記課題を解決するために、本発明に係る塗布容器は、内容物が収容される容器本体と、前記容器本体の口部に装着され、前記容器本体内に連通する連通孔を有する中栓部材と、前記中栓部材との間に、前記連通孔を通して前記容器本体内に連通する計量室を形成する計量筒本体、および内側が前記計量室に連通するとともに、前記計量筒本体から容器軸方向の外側に向けて延びるガイド筒部を有する計量筒部材と、前記ガイド筒部内に、容器軸方向に移動自在に挿入され、容器軸方向の外端部に吐出孔が形成されるとともに、内側に前記吐出孔に連通する流通路が形成された筒状の塗布栓と、を備え、前記塗布栓は、前記連通孔を通して前記容器本体内と前記計量室とを連通させ、かつ前記計量室と前記流通路との連通を遮断する計量位置と、容器軸方向において前記計量位置よりも前記中栓部材側に位置するとともに、前記連通孔を通した前記容器本体内と前記計量室との連通を遮断し、かつ前記計量室と前記流通路とを連通させる塗布位置と、の間を容器軸方向に移動自在に配設され、前記塗布栓の周壁には、この塗布栓が前記塗布位置に位置するときに、前記ガイド筒部の周壁を貫通する第１開口部と連通する第２開口部が形成され、前記ガイド筒部には、前記第１開口部を覆うとともに、弾性変形可能な操作ボタンが配設されていることを特徴とする。
【０００９】
この発明によれば、塗布栓が計量位置にある状態で、塗布容器を、例えば塗布栓が下方を向く倒立姿勢等にすると、容器本体内の内容物が、連通孔を通して計量室に流入するとともに、この内容物の計量室から流通路への流出は規制される。このため、計量室に所定量の内容物を計量することができる。
その後、前記倒立姿勢等のままで、塗布栓の容器軸方向の外端部を、被塗布部に押し付ける等することにより、塗布栓を塗布位置に移動させることで、容器本体内から計量室への内容物の流出が規制された状態で、計量室と流通路とが連通し、計量室の内容物を、流通路および吐出孔を通して被塗布部に吐出することができる。
【００１０】
そして、塗布位置に位置する塗布栓の第２開口部を通して、流通路と連通する第１開口部を覆う操作ボタンが、ガイド筒部に配設されているので、内容物を塗布している状態で、操作ボタンを押圧等して弾性変形させると、流通路内が加圧され、大量の内容物を、塗布栓の吐出孔から被塗布部に吐出することができる。これにより、計量した内容物を短時間で塗布したり、被塗布部における特定の箇所に大量の内容物を塗布したりすること等ができる。
【００１１】
また、前記塗布栓には、前記連通孔を通した前記容器本体内と前記計量室との連通およびその遮断を切替える弁体が配設されるとともに、この塗布栓の周壁を貫通し、前記流通路と連通する流通孔が形成され、前記流通孔は、前記塗布栓が前記計量位置に位置するときに、前記ガイド筒部の内周面により閉塞され、かつ前記塗布栓が前記塗布位置に位置するときに、前記計量室に開口してもよい。
この場合には、塗布栓に前記弁体が配設されるとともに、前記流通孔が形成されているので、計量位置および塗布位置それぞれにおける、容器本体内と計量室との連通およびその遮断、並びに計量室と流通路との連通およびその遮断を、簡易な構成で確実に切替えることができる。
【発明の効果】
【００１２】
本発明によれば、吐出量を調整することができる。
【図面の簡単な説明】
【００１３】
【図１】本発明の一実施形態に係る塗布容器の縦断面図である。
【図２】図１に示す計量筒部材および塗布栓のＡ−Ａ線矢視断面図である。
【図３】図１に示す塗布容器からオーバーキャップを取り外した状態を示す図である。
【図４】図１に示す塗布容器における塗布栓を、被塗布部に押し当てた状態を示す図である。
【図５】図１に示す塗布容器を用いて、内容物を塗布している状態を示す図である。
【発明を実施するための形態】
【００１４】
以下、図１から図５を参照し、本発明の実施形態を説明する。
図１に示すように、塗布容器１０は、内容物が収容される容器本体１１と、容器本体１１の口部１１ａに装着された中栓部材１２と、中栓部材１２との間に、計量室２９を形成する計量筒部材１３と、外端部に吐出孔３５が形成された塗布栓１４と、容器本体１１の口部１１ａに着脱自在に装着されたオーバーキャップ１６と、を備えている。
【００１５】
容器本体１１は有底筒状に形成されている。中栓部材１２、およびオーバーキャップ１６は、有頂筒状に形成されている。塗布栓１４は筒状に形成されている。ここで容器本体１１、中栓部材１２、計量筒部材１３、塗布栓１４、およびオーバーキャップ１６は、それぞれの中心軸が共通軸上に位置している。
以下、この共通軸を容器軸Ｏといい、容器軸Ｏに沿う容器軸方向のうち、容器本体１１側を下側、吐出孔３５側を上側という。また、容器軸方向から見た平面視において、容器軸Ｏに直交する方向を径方向といい、容器軸Ｏ回りに周回する方向を周方向という。
【００１６】
容器本体１１内には、人体の頭皮等の被塗布部Ｓ（図４および図５参照）に塗布される育毛剤や薬液等の内容物が収容されている。容器本体１１の口部１１ａは、肩部１１ｂを介して胴部に接続され、容器本体１１の胴部、および底部よりも小径とされるとともに、上部の外径が、下部の外径に比べて小さくなっている。口部１１ａの下部の外周面には雄ねじ部が形成され、上部の外周面には、径方向の外側に向けて突出する突起部が、全周にわたって連続して形成されている。
【００１７】
中栓部材１２は口部１１ａの上端開口部を閉塞している。中栓部材１２は、口部１１ａの上端開口縁上に配設された支持筒２２と、支持筒２２の下端部から径方向の内側に向けて突出する内フランジ部２３と、内フランジ部２３から下方に向けて突出するとともに、口部１１ａ内に嵌合されたシール筒２４と、内フランジ部２３の径方向の内端部から下方に向けて突出する受部材２５と、受部材２５の下端部から上方に向けて突出するガイド部２６と、を有している。
支持筒２２、内フランジ部２３、シール筒２４、および受部材２５は容器軸Ｏと同軸に配置されている。
【００１８】
支持筒２２は、容器軸方向に沿って延びている。支持筒２２の外周面には、径方向の外側に向けて突出するとともに、全周にわたって連続して延びる突起部が形成されている。
シール筒２４は、内フランジ部２３における径方向の外端部から、下方に向けて延びている。シール筒２４は、下端部を除く全域にわたって、口部１１ａ内に密に嵌合されている。
【００１９】
受部材２５は、環状の底壁を有する有底筒状に形成されている。受部材２５は、口部１１ａ内に配置されている。受部材２５の周壁の上端部が、内フランジ部２３の径方向の内端部に連結されている。
ガイド部２６は、塗布栓１４の容器軸方向の移動を案内する。ガイド部２６は、受部材２５の底壁の内周縁部から上方に向けて突出する有頂筒状に形成されている。ガイド部２６は、容器軸Ｏと同軸に配置されている。ガイド部２６の頂壁は、支持筒２２の上端縁よりも上方に位置している。なお、ガイド部２６は有頂筒状の他、柱状等、適宜設計変更が可能である。
【００２０】
連通孔２１は、受部材２５およびガイド部２６を一体に貫通している。連通孔２１は、受部材２５の底壁、およびガイド部２６の周壁の下端部に一体に形成されている。連通孔２１は、容器本体１１内と計量室２９とを連通している。
連通孔２１は、周方向に間隔をあけて複数形成されている。各連通孔２１は、容器軸方向に沿う縦断面視でＬ字状を呈している。なお、連通孔２１は、受部材２５の底壁およびガイド部２６の周壁のうち、いずれか一方に形成されてもよい。
【００２１】
計量筒部材１３は、容器本体１１の口部１１ａおよび中栓部材１２に装着されている。
計量筒部材１３は多段筒状に形成されている。計量筒部材１３は、容器本体１１の口部１１ａ、および中栓部材１２に装着された装着筒部３２と、装着筒部３２の上端部から容器軸方向に延び、外径および内径が装着筒部３２よりも縮径されるとともに、内側が計量室２９とされた計量筒本体３３と、計量筒本体３３の上端部から上方に向けて突出するガイド筒部３４と、を備えている。
装着筒部３２、計量筒本体３３、およびガイド筒部３４は、容器軸Ｏと同軸に配置されている。装着筒部３２、計量筒本体３３、およびガイド筒部３４は、一体に形成されている。
【００２２】
装着筒部３２の上端部には、径方向に延びるとともに、計量筒本体３３と接続される環状連結壁３２Ａが形成されている。環状連結壁３２Ａは、計量筒本体３３の容器軸方向における中間部分の外周面に接続されている。
計量筒本体３３のうち、環状連結壁３２Ａから下方に延びる下端部は、装着筒部３２の上端部と径方向に対向している。装着筒部３２の上端部と、計量筒本体３３の下端部と、の間の径方向の隙間に、中栓部材１２の支持筒２２が嵌合されている。計量筒本体３３の下端部は、中栓部材１２の内フランジ部２３における径方向の外端部上に配置されている。
計量筒本体３３の上側部分は、下側部分から上方に向かうに従い漸次、径方向の内側に向けて延びている。計量筒本体３３の上側部分は、上方に向けて膨出する突曲面状に形成されている。
【００２３】
ガイド筒部３４の容器軸方向の大きさは、装着筒部３２および計量筒本体３３それぞれの容器軸方向の大きさの和よりも大きくなっている。
ガイド筒部３４における上端部の内周面には、径方向の外側に向けて窪み、かつ上方に向けて開口する嵌合凹部３４ａが全周にわたって連続して形成されている。ガイド筒部３４における下端部の内周面には、径方向の外側に向けて窪み、かつ下方に向けて開口する係合凹部３４ｂが全周にわたって連続して形成されている。
【００２４】
塗布栓１４のうちの少なくとも後述する弁筒部４２は、計量室２９に設けられている。塗布栓１４の上端部４３には、吐出孔３５が形成されている。塗布栓１４には、連通孔２１を通した容器本体１１内と計量室２９との連通およびその遮断を切替える弁体４２ａが配設されている。
塗布栓１４は、ガイド筒部３４内に挿入された本体筒部４１と、本体筒部４１の下端部から下方に向けて突出し、外径および内径が、本体筒部４１よりも拡径された弁筒部４２と、を備えている。本体筒部４１および弁筒部４２は、容器軸方向に延び、容器軸Ｏと同軸に配置されている。本体筒部４１および弁筒部４２は、一体に形成されている。
【００２５】
本体筒部４１の容器軸方向の大きさは、弁筒部４２よりも大きくなっている。本体筒部４１の容器軸方向の大きさは、計量筒部材１３におけるガイド筒部３４よりも大きくなっている。本体筒部４１の内側に、吐出孔３５に連通する流通路２８が形成されている。
本体筒部４１の上端部４３には、吐出孔３５が形成された閉塞板４１ａが配設されている。閉塞板４１ａは表裏面が容器軸方向を向いている。吐出孔３５は、閉塞板４１ａに周方向に間隔をあけて複数形成されている。なお、吐出孔３５は、径方向に間隔をあけて複数形成されてもよいし、周方向および径方向の双方向に間隔をあけて複数形成されてもよい。
【００２６】
本体筒部４１の上端部４３の外周面には、径方向の内側に向けて窪む外周凹部４１ｂが形成されている。外周凹部４１ｂは全周にわたって連続して延びている。外周凹部４１ｂは、上端部４３の外周面のうち、上端より下方に位置する部分に配置されている。本体筒部４１の上端は、径方向の外側に向けて突の曲面状に形成されている。
本体筒部４１の周壁のうち、弁筒部４２の上端と容器軸方向に連なる下端部に、この周壁を径方向に貫通し、流通路２８と連通する流通孔４１ｃが形成されている。
【００２７】
流通孔４１ｃは周方向に間隔をあけて複数形成されている。流通孔４１ｃは、塗布栓１４が、図３に示されるような後述する計量位置Ｐ１に位置するときに、ガイド筒部３４の内周面により閉塞され、かつ塗布栓１４が、図１に示されるような後述する塗布位置Ｐ２に位置するときに、計量室２９に開口し、計量室２９と流通路２８とを連通する。
【００２８】
弁筒部４２は、中栓部材１２のガイド部２６に、ガイド部２６に対して上方に向けて相対移動可能に外嵌されている。弁筒部４２の内周面は、ガイド部２６の外周面に、容器軸方向に摺動自在に液密に当接している。なお、このような態様に限られず、塗布栓１４に、本体筒部４１の内側と、弁筒部４２の内側と、の連通を遮断する仕切り壁を配設し、弁筒部４２の内周面と、ガイド部２６の外周面と、の間に径方向の隙間を設けてもよい。
【００２９】
弁筒部４２の下端縁に、下方に向けて突出した、上述の弁体４２ａが形成されている。弁体４２ａは弁筒部４２の下端縁から下方に向かうに従い漸次、拡径するテーパ筒状に形成されている。弁体４２ａは、弁筒部４２における他の部分に比べて薄肉に形成されている。
弁体４２ａの下端縁は、中栓部材１２における受部材２５の周壁内に、容器軸方向に摺動可能に嵌合され、連通孔２１を上方から覆っている。これにより、弁体４２ａは、計量室２９と連通孔２１との連通を遮断している。
【００３０】
オーバーキャップ１６は、容器本体１１の口部１１ａ、肩部１１ｂ、計量筒部材１３、および塗布栓１４を一体に覆っている。オーバーキャップ１６は、有頂筒状のカバーキャップ６０と、カバーキャップ６０よりも縮径され、内側に雌ねじ部が形成された有頂筒状のねじキャップ６１と、を備えている。ねじキャップ６１は、カバーキャップ６０内に嵌合されている。
【００３１】
ねじキャップ６１は、容器本体１１の口部１１ａ、計量筒部材１３、および塗布栓１４を径方向の外側から取り囲む周壁部６２と、周壁部６２の上端開口部を閉塞する天壁部６３と、を有している。
周壁部６２の下部における内周面には、雌ねじ部が形成されており、オーバーキャップ１６は、口部１１ａの雄ねじ部に螺着されている。なおオーバーキャップ１６は、例えば、アンダーカット嵌合により口部１１ａに装着される等して、容器本体１１に対して容器軸Ｏ回りに回転させることなく着脱される構成であってもよい。
【００３２】
天壁部６３には、下方に向けて延びる係合筒６４が配設されている。係合筒６４は、容器軸Ｏと同軸に配置されている。係合筒６４の下端部内には、本体筒部４１の上端部４３が離脱可能に嵌合されている。
係合筒６４の下端部には、塗布栓１４の上述した外周凹部４１ｂに、離脱可能に係合された係合部６４ａが形成されている。これにより、オーバーキャップ１６は、容器本体１１の口部１１ａからの離脱に伴って塗布栓１４を上昇させる。
係合筒６４の下端部は、下方に向かうに従い漸次、外径が縮径する先細り形状をなし、ガイド筒部３４における上述の嵌合凹部３４ａ内に挿入されている。なお、係合筒６４の下端部における外周面と、嵌合凹部３４ａの内周面と、を液密に当接させてもよい。これにより、塗布栓１４の吐出孔３５と外部とのシール性を確実なものとすることができる。
【００３３】
そして本実施形態では、塗布栓１４は、図３に示されるような、連通孔２１を通して容器本体１１内と計量室２９とを連通させ、かつ流通孔４１ｃを通した計量室２９と流通路２８との連通を遮断する計量位置Ｐ１と、図１に示されるような、計量位置Ｐ１よりも下方（容器軸方向における中栓部材１２側）に位置するとともに、連通孔２１を通した容器本体１１内と計量室２９との連通を遮断し、かつ流通孔４１ｃを通して計量室２９と流通路２８とを連通させる塗布位置Ｐ２と、の間を容器軸方向に移動自在に配設されている。
【００３４】
図３に示すように、塗布栓１４が計量位置Ｐ１に位置している際には、塗布栓１４の弁体４２ａが、中栓部材１２の受部材２５から上方に向けて離間することで、容器本体１１内と計量室２９とが連通される。また、塗布栓１４が計量位置Ｐ１に位置している際には、弁筒部４２の上端縁が、ガイド筒部３４の係合凹部３４ｂの内面に突き当たり、流通孔４１ｃがガイド筒部３４の内周面により閉塞されることで、計量室２９と流通路２８との連通が遮断される。また、塗布栓１４が計量位置Ｐ１に位置している際も、弁筒部４２の内周面が、ガイド部２６の外周面に外嵌されている。
【００３５】
また本実施形態では、図１および図２に示すように、塗布栓１４の周壁には、塗布栓１４が塗布位置Ｐ２に位置するときに、ガイド筒部３４の周壁を貫通する第１開口部３４ｅと連通する第２開口部４１ｄが形成されている。第１開口部３４ｅは、ガイド筒部３４の容器軸方向の中央部に形成され、周方向よりも容器軸方向に長い長孔状をなしている。
第２開口部４１ｄは、塗布栓１４における本体筒部４１の周壁を貫通している。第２開口部４１ｄは、本体筒部４１の周壁のうち、ガイド筒部３４の第１開口部３４ｅと径方向に隣接する部分に形成されている。図示の例では、塗布栓１４が計量位置Ｐ１に位置するとき、および塗布栓１４が塗布位置Ｐ２に位置するときの双方で、常にガイド筒部３４の第１開口部３４ｅと、本体筒部４１の第２開口部４１ｄと、が連通している。また、第２開口部４１ｄは、第１開口部３４ｅよりも大きい。
【００３６】
また、本実施形態では、ガイド筒部３４には、第１開口部３４ｅを覆うとともに、弾性変形可能な操作ボタン１５が配設されている。操作ボタン１５は、ガイド筒部３４の外周面における、第１開口部３４ｅの開口周縁部に配設され、第１開口部３４ｅを径方向の外側から覆っている。
【００３７】
操作ボタン１５は、弾性変形可能な材料で形成された有頂筒状をなし、頂部が径方向の外側に向けて膨出するドーム状に形成されている。操作ボタン１５は、径方向の内側に向けて開口している。これにより、操作ボタン１５の内側が、ガイド筒部３４の第１開口部３４ｅ、および本体筒部４１の第２開口部４１ｄを通して、流通路２８に連通している。
ガイド筒部３４の外周面における第１開口部３４ｅの開口周縁部には、図２に示されるような容器軸Ｏに直交する横断面視において、ガイド筒部３４の外周面に対して、その接線方向の両外側に向けて各別に突出する接続板３４ｆが形成されている。
【００３８】
接続板３４ｆは、表裏面が径方向を向く板状に形成されている。接続板３４ｆの表裏面のうち、ガイド筒部３４と反対側を向く表面には、第１開口部３４ｅの開口周縁部を囲繞する第１嵌合筒部３４ｃと、第１嵌合筒部３４ｃよりも大径とされ、第１嵌合筒部３４ｃと同軸上に配置された第２嵌合筒部３４ｄと、が形成されている。
接続板３４ｆ、第１嵌合筒部３４ｃ、および第２嵌合筒部３４ｄは、一体に形成されている。
【００３９】
操作ボタン１５の周壁１５ａは、第１嵌合筒部３４ｃ内に嵌合されている。操作ボタン１５の周壁１５ａには、第１嵌合筒部３４ｃの開口端縁に配置された固定フランジ部１５ｂが形成されている。
第１嵌合筒部３４ｃと第２嵌合筒部３４ｄとの間には、リング状の固定具１７が挿し込まれている。固定具１７は、第１嵌合筒部３４ｃの開口端縁との間で、操作ボタン１５の固定フランジ部１５ｂを挟んでいる。これにより、操作ボタン１５はガイド筒部３４に固定されている。
【００４０】
次に、上述した塗布容器１０の作用について説明する。なお以下の説明では、図１に示すような、オーバーキャップ１６が容器本体１１の口部１１ａに装着された状態を初期状態とする。初期状態の塗布容器１０では、塗布栓１４が、塗布位置Ｐ２に位置している。
初期状態の塗布容器１０において、容器本体１１の口部１１ａとオーバーキャップ１６との螺着を解除し、オーバーキャップ１６を取り外す。
【００４１】
オーバーキャップ１６と容器本体１１とを螺着が解除される方向に相対回転させると、この相対回転に伴いオーバーキャップ１６が容器本体１１に対して上方移動する。このときオーバーキャップ１６が、係合筒６４を介して塗布栓１４の本体筒部４１に係合しているため、オーバーキャップ１６の上方移動に伴い、本体筒部４１がガイド筒部３４によって、弁筒部４２がガイド部２６によって、容器軸方向にそれぞれ案内されながら、塗布栓１４が引き上げられる。
【００４２】
図３に示すように、弁筒部４２の上端縁が、ガイド筒部３４の係合凹部３４ｂの内面に当接するまで、塗布栓１４は、オーバーキャップ１６とともに引き上げられる。この状態で、オーバーキャップ１６を容器本体１１に対してさらに上昇させると、塗布栓１４に対してオーバーキャップ１６が上方移動することで、係合筒６４の係合部６４ａが、本体筒部４１の外周凹部４１ｂの上端を乗り越える。
これにより、オーバーキャップ１６と塗布栓１４との係合が解除され、オーバーキャップ１６のみが上方移動することで、オーバーキャップ１６と容器本体１１との螺着が解除され、オーバーキャップ１６が取り外される。
【００４３】
オーバーキャップ１６が取り外された状態では、塗布栓１４の弁体４２ａは、中栓部材１２の受部材２５から上方に離間していて、中栓部材１２の連通孔２１を通して計量室２９と容器本体１１内とが連通されている。一方、塗布栓１４の流通孔４１ｃは、ガイド筒部３４の内周面により閉塞されており、計量室２９と流通路２８との連通が遮断されている。すなわち、塗布栓１４は計量位置Ｐ１に位置している。
【００４４】
そして、図４に示すように、塗布容器１０を塗布栓１４が下向きとなる倒立姿勢とすると、容器本体１１内の内容物が、連通孔２１を通して計量室２９に流入する。
この際、前述のように、計量室２９と流通路２８との連通が遮断されているため、流通路２８を通した吐出孔３５から外部への内容物の流出が規制されている。これにより、計量室２９に所定量の内容物が計量される。なお、倒立姿勢では、塗布容器１０の上下が反転するため、容器軸方向に沿う塗布栓１４側が下側、容器本体１１側が上側となる。
【００４５】
続いて、図５に示すように、塗布容器１０を倒立姿勢に維持した状態で、塗布栓１４を被塗布部Ｓに押し付けると、本体筒部４１がガイド筒部３４によって、弁筒部４２がガイド部２６によって、それぞれ容器軸方向に案内されながら、塗布栓１４が上方に向けて移動する。すると、弁体４２ａが、受部材２５内に嵌合される塗布位置Ｐ２まで、塗布栓１４が移動する。塗布栓１４の移動は、塗布栓１４の本体筒部４１がガイド部２６の頂壁に突き当たることで規制される。このとき、流通孔４１ｃが開放されることにより、計量室２９の内容物が流通路２８に流入し、吐出孔３５を通して被塗布部Ｓ上（外部）に吐出される。
【００４６】
そしてこのように、吐出孔３５から内容物を被塗布部Ｓ上に塗布している状態において、内容物を大量に塗布する場合には、操作ボタン１５を径方向の内側に向けて押圧し、弾性変形させる。これにより、流通路２８が加圧され、大量の内容物が、流通路２８から吐出孔３５を通して被塗布部Ｓ上に吐出される。
【００４７】
以上説明したように、本実施形態に係る塗布容器１０によれば、塗布位置Ｐ２に位置する塗布栓１４の第２開口部４１ｄを通して、流通路２８と連通する第１開口部３４ｅを覆う操作ボタン１５が、ガイド筒部３４に配設されているので、内容物を塗布している状態で、操作ボタン１５を押圧等して弾性変形させると、流通路２８内が加圧され、大量の内容物を、塗布栓１４の吐出孔３５から被塗布部Ｓに吐出することができる。これにより、計量した内容物を短時間で塗布したり、被塗布部Ｓにおける特定の箇所に大量の内容物を塗布したりすること等ができる。
【００４８】
また、塗布栓１４に弁体４２ａが配設されるとともに、流通孔４１ｃが形成されているので、計量位置Ｐ１および塗布位置Ｐ２それぞれにおける、容器本体１１内と計量室２９との連通およびその遮断、並びに計量室２９と流通路２８との連通およびその遮断を、簡易な構成で確実に切替えることができる。
【００４９】
なお、本発明の技術的範囲は前記実施形態に限定されるものではなく、本発明の趣旨を逸脱しない範囲において種々の変更を加えることが可能である。
【００５０】
例えば、上記実施形態においては、第２開口部４１ｄが、第１開口部３４ｅよりも大きい構成を示したが、このような態様に限られない。第２開口部４１ｄが、第１開口部３４ｅよりも小さくてもよいし、第２開口部４１ｄおよび第１開口部３４ｅが、互いに同等の大きさであってもよい。
また、上記実施形態においては、操作ボタン１５が、固定具１７によりガイド筒部３４に固定されている構成を示したが、このような態様に限られない。例えば、操作ボタン１５が直接、ガイド筒部３４に固定されてもよい。
また、上記実施形態においては、操作ボタン１５が有頂筒状に形成されている構成を示したが、このような態様に限られない。例えば、操作ボタン１５は膜状に形成されてもよい。
【００５１】
また、上記実施形態においては、連通孔２１および流通孔４１ｃが、それぞれ複数形成されている構成を示したが、このような態様に限られない。連通孔２１および流通孔４１ｃは、それぞれ１つずつ形成されてもよい。
また、容器本体１１は、自立可能な底部を有する形状に限らず適宜変更可能であり、容器本体１１の横断面形状等も種々のものを採用することができる。
【００５２】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００５３】
１０   塗布容器
１１   容器本体
１１ａ 口部
１２   中栓部材
１３   計量筒部材
１４   塗布栓
１５   操作ボタン
２１   連通孔
２８   流通路
２９   計量室
３３   計量筒本体
３４   ガイド筒部
３４ｅ   第１開口部
３５   吐出孔
４１ｃ   流通孔
４１ｄ   第２開口部
４２ａ   弁体
Ｏ     容器軸
Ｐ１   計量位置
Ｐ２   塗布位置
Ｓ     被塗布部
【図１】
2018140817.tif 000003
【図２】
2018140817.tif 000004
【図３】
2018140817.tif 000005
【図４】
2018140817.tif 000006
【図５】
2018140817.tif 000007